(57)【特許請求の範囲】
【請求項１】
双方向通信を行うことが可能な通信サーバと接続し、他の通信端末装置とグループ通信を行うことが可能な通信端末装置であって、
前記通信サーバと双方向通信を行う通信部と、
外部から入力が行われる操作部と、
前記グループ通信によって受信した情報と、前記操作部からの操作内容とを表示可能な表示部と、
前記表示部に表示された画面が文字入力画面に変更され、プレゼンスが“編集中”へ変更されると、他の通信装置へプレゼンスの更新が行われたことを示す第１の情報を送信する制御部と、
を備えることを特徴とする通信端末装置。
【請求項２】
前記制御部は、前記操作部におけるグループ通信を行う予定の内容の入力が終了したとき、入力が終了したことを示す第２の情報を前記他の通信端末装置へ送信する
ことを特徴とする請求項１に記載の通信端末装置。
【請求項３】
前記制御部は、前記第１の情報を前記操作部からの入力に従って前記他の通信端末装置へ送信するか否かを設定可能である
ことを特徴とする請求項１に記載の通信端末装置。
【請求項４】
双方向通信を行うことが可能な通信サーバと接続し、他の通信端末装置とグループ通信を行うことが可能な通信端末装置であって、
前記通信サーバと双方向通信を行う通信部と、
前記グループ通信によって受信した情報を表示可能な表示部と、
前記通信サーバから受信した、他の通信端末装置においてプレゼンスが“編集中”に更新されたことを示す第１の情報を前記表示部へ表示させる制御部と、
を備えることを特徴とする通信端末装置。
【請求項５】
前記制御部は、前記第１の情報を受信してから前記他の通信端末装置において入力が終了したことを示す第２の情報を受信するまで、前記第１の情報を前記表示部へ表示する
ことを特徴とする請求項４に記載の通信端末装置。
【請求項６】
外部から入力が行われる操作部を備え、
前記制御部は、前記第１の情報を前記表示部へ表示するか否かを、前記操作部からの入力に従って設定可能である
ことを特徴とする請求項５に記載の通信端末装置。
【請求項７】
外部から入力が行われる操作部を備え、
前記制御部は、前記第１の情報を受信した後に前記操作部からグループ通信を離脱する内容の入力が行われたとき、前記表示部へ前記第１の情報の内容を表示する
ことを特徴とする請求項５に記載の通信端末装置。
【請求項８】
前記制御部は、前記第１の情報の内容を表示するか否かを、前記操作部の入力に従って設定可能である
ことを特徴とする請求項７に記載の通信端末装置。
【請求項９】
他の通信端末装置とグループ通信を行うことが可能な通信端末装置であって、
プレゼンスが“編集中”に切り替わると、他の通信端末装置へプレゼンスが“編集中”に切り替わったことを示す第１の情報を送信する制御部
を備える通信端末装置。
【発明の詳細な説明】
【技術分野】
【０００１】
本発明はＰＴＴ（ｐｕｓｈ  ｔｏ  ｔａｌｋ）等のグループ通信を行うことが出来る通信端末装置に関する。
【背景技術】
【０００２】
近年、携帯電話に代表される通信端末装置の通信態様が多様化しており、回線交換による従来の音声通話に加えて、ＩＰ（ｉｎｔｅｒｎｅｔ  ｐｒｏｔｏｃｏｌ）網を利用したパケット通信を行うことが可能な通信端末装置が広く利用されている。
【０００３】
このように多様化した通信態様のうちの一つに、グループ内でリアルタイムに文字などのデータをやり取りすることが可能な「グループ通信」と呼ばれるものが存在する。このグループ通信の１つで、特に最近注目を浴びているものがＰＴＴ（ｐｕｓｈ  ｔｏ  ｔａｌｋ）またはＰｏＣ（ｐｕｓｈ  ｔｏ  ｔａｌｋ  ｏｖｅｒ  ｃｅｌｌｕｌａｒ）と呼ばれる技術である。ＰｏＣでは、グループを形成する複数の通信端末装置同士がＶｏＩＰ（ｖｏｉｃｅ  ｏｖｅｒ  ｉｎｔｅｒｎｅｔ  ｐｒｏｔｏｃｏｌ）によるリアルタイムの音声通話を行うことが可能である（特許文献１）。また、音声通信を行うと同時に文字データおよびデジタル情報で構成された画像データも通信可能である。
【０００４】
このグループ通信を開始する際、最初に、複数の通信端末装置のうちグループ通信の主催者となる主催者端末装置がグループ通信開始の処理を行う。そしてその主催者端末装置が、当該主催者通信端末装置に登録されている他の通信端末装置（参加者端末装置）に対して、グループ通信招待通知を生成し、送信する。グループ通信招待通知とは、主催者端末装置が他の通信端末装置に対してグループ通信に参加する旨を問う通知である。
【０００５】
グループ通信招待通知を受信した参加者端末装置の所有者は、主催者端末装置に対して、グループ通信に参加するか否かを伝達し、当該グループ通信に参加することを決定することが出来る。いったんＰＴＴのグループ通信が開始されると、発言を希望する通信端末装置の所有者が通信端末装置に設けられた所定のボタン（ＰＴＴボタン）を押下することにより、所有者の発言要求が通信サーバへ送信される。通信サーバは、各通信端末装置からの発言要求を受けて、１つの通信端末装置に発言権を与える。発言権を与えられた通信端末装置は、所有者の音声データを通信サーバに送信し、通信サーバはその音声データを他の通信端末装置へ一斉に送信する。これにより、グループ通信を形成する複数の通信端末によってリアルタイムの音声通話が行われる。
【０００６】
また、前述したとおりグループ通信の技術は、音声のみならず文字データ及び画像データを用いて通信を行うことも可能である。図１０は、文字データ及び画像データをグループ通信によって送受信したときの通信端末装置の表示部の様子を示したものである。以降、図１０において示した画面の状態を、“メイン画面状態”と記載する。図１０から分かるように、グループ通信において文字データ及び画像データの送受信が行われると、チャットと同等のシステムで双方向通信が主催者端末、参加者端末の間で行われることとなる。
【０００７】
また、図１０最下段に表示されている“文字入力”のソフトキーが選択、決定されることによって、図１１に示す画面状態へと遷移する。この画面の状態を以後“文字入力画面状態”と記載する。この文字入力画面状態において、通信端末装置は“メイン画面状態”に表示されるコメントの入力をユーザから受付ける。
【特許文献１】特開２００７‐１１６７３５
【発明の開示】
【発明が解決しようとする課題】
【０００８】
前述したグループ通信を用いて文字データの送受信を２つの通信端末装置間で行うと、以下に述べる問題が生じる虞がある。以下、図１２を用いて当該問題について説明する。
【０００９】
図１２は、通信端末装置Ａ（ユーザ名：山形）と通信端末装置Ｂ（ユーザ名：森）が２者間でグループ通信を行っている様子を、シーケンス図と、その時における通信端末装置Ａと通信端末装置Ｂの画面状態を示した図である。
【００１０】
グループ通信中、通信端末装置Ａ、通信端末装置Ｂともにメイン画面１００１、２００１の表示がされている状態から（ステップＳ１００１、ステップＳ２００１）、通信端末装置Ａのユーザ（「山形」）の操作によって、通信端末装置Ａの画面が文字入力画面１００２の状態に切り替わる（ステップＳ１００２ａ）。そして、この文字入力画面１００２が表示されている状態において、通信端末装置Ａのユーザは文字入力を行う。しかしながら、図１２に示される画面２００２のように、通信端末装置Ａのユーザが文字入力を行っている最中に、通信端末装置Ｂのユーザ（「森」）がグループ通信終了の処理を通信端末装置Ｂにおいて行ってしまった場合（ステップＳ２００２）、グループ通信終了の通知を通信端末装置Ａが受け（ステップＳ１００２ｂ）、終了画面２００３を表示して通信端末装置Ｂのグループ通信が終了すると同時に、文字入力中の通信端末装置Ａにおいても終了画面１００３を表示してグループ通信が終了してしまう（ステップＳ１００３、ステップＳ２００３）。
【００１１】
従って、通信端末装置Ａのユーザが文字入力画面１００２が表示されている状態において作成していた文章は、通信端末装置Ｂへ送信されることがなくなる。さらに、グループ通信が終了してしまった状態では、グループ通信中に作成途中であった文章に関しては通信端末装置Ａの記憶部から消去されてしまう。従って、通信端末装置Ａのユーザが作成した文章を、通信端末装置Ｂのユーザへ伝えることなくグループ通信が終了してしまう虞があった。
【００１２】
本発明の目的は、前述したような問題が生じる虞を低減させることが可能な通信端末装置を提供することである。
【課題を解決するための手段】
【００１３】
本発明に係る通信端末装置は、双方向通信を行うことが可能な通信サーバと接続し、他の通信端末装置とグループ通信を行うことが可能な通信端末装置であって、前記通信サーバと双方向通信を行う通信部と、外部から入力が行われる操作部と、前記グループ通信によって受信した情報と、前記操作部からの操作内容とを表示可能な表示部と、前記表示部に表示された画面が文字入力画面に変更され、プレゼンスが“編集中”へ変更されると、他の通信装置へプレゼンスの更新が行われたことを示す第１の情報を送信する制御部と、を備えることを特徴とする。
【００１４】
更に好適には本発明に係る通信端末装置は、前記制御部は、前記操作部におけるグループ通信を行う予定の内容の入力が終了したとき、入力が終了したことを示す第２の情報を前記他の通信端末装置へ送信することを特徴とする。
【００１５】
更に好適には本発明に係る通信端末装置は、前記制御部は、前記第１の情報を前記操作部からの入力に従って前記他の通信端末装置へ送信するか否かを設定可能であることを特徴とする。
【００１６】
本発明に係る第２の観点における通信端末装置は、双方向通信を行うことが可能な通信サーバと接続し、他の通信端末装置とグループ通信を行うことが可能な通信端末装置であって、前記通信サーバと双方向通信を行う通信部と、前記グループ通信によって受信した情報を表示可能な表示部と、前記通信サーバから受信した、他の通信端末装置においてプレゼンスが“編集中”に更新されたことを示す第１の情報を前記表示部へ表示させる制御部と、を備えることを特徴とする。
【００１７】
更に好適には本発明に係る第２の観点における通信端末装置は、前記制御部は、前記第１の情報を受信してから前記他の通信端末装置において入力が終了したことを示す第２の情報を受信するまで、前記第１の情報を前記表示部へ表示することを特徴とする。
【００１８】
更に好適には本発明に係る第２の観点における通信端末装置は、外部から入力が行われる操作部を備え、前記制御部は、前記第１の情報を前記表示部へ表示するか否かを、前記操作部からの入力に従って設定可能であることを特徴とする。
【００１９】
更に好適には本発明に係る第２の観点における通信端末装置は、外部から入力が行われる操作部を備え、前記制御部は、前記第１の情報を受信した後に前記操作部からグループ通信を離脱する内容の入力が行われたとき、前記表示部へ前記第１の情報の内容を表示することを特徴とする。
【００２０】
更に好適には本発明に係る第２の観点における通信端末装置は、前記制御部は、前記第１の情報の内容を表示するか否かを、前記操作部の入力に従って設定可能であることを特徴とする。
更に、本発明に係る携帯端末装置は、他の通信端末装置とグループ通信を行うことが可能な通信端末装置であって、プレゼンスが“編集中”に切り替わると、他の通信端末装置へプレゼンスが“編集中”に切り替わったことを示す第１の情報を送信する制御部を備える。
【発明の効果】
【００２１】
本発明によれば、グループ通信において一方の通信端末装置から他方の通信端末装置へ送信する入力内容を伝達できない虞を低減させる通信端末装置を提供することが可能である。
【発明を実施するための最良の形態】
【００２２】
以下、最適な実施例に基づいて、本発明である通信端末装置の説明を行う。
【００２３】
図１は、本発明である通信端末装置が用いられる通信システムの構成例を示すブロック図である。図１に示すように、当該通信システムは、通信端末装置１００‐ｉ（ｉは正の整数）、ＰＴＴサーバ２００（特許請求の範囲における通信サーバ）がネットワーク３００により接続されて構成されている。ネットワーク３００は、通信事業者によって提供される基地局やその他データ通信に必要な設備を含むデータ通信ネットワークであり、無線通信を行うネットワークであってもよいし、有線によるネットワークであってもよいし、無線通信と有線との組み合わせでもよい。
【００２４】
通信端末装置１００‐ｉは例えば携帯電話機等の無線通信端末であり、ネットワーク３００を経由してＰＴＴサーバ２００に接続されており、ＰＴＴサーバ２００の制御に従ってＰＴＴ（Ｐｕｓｈ  Ｔｏ  Ｔａｌｋ）によるグループ通信を行う。グループ通信は、他の通信端末装置１００‐ｊ（ｊはｉ以外の正の整数）とのデータ通信であり、このデータ通信によって伝送されるデータは、例えば通話の音声データや、画像データや、文字データ等である。
【００２５】
本実施例の通信端末装置が用いられる通信システムは、複数の通信端末装置１００‐ｉのうちＰＴＴサーバ２００によって送信を許可された１つの通信端末装置が他の複数の通信端末装置に対してデータを送信する。データ送信を希望する通信端末装置は、ＰＴＴサーバ２００に対して通信許可の要求を送信する。
【００２６】
ＰＴＴサーバ２００は、通信端末装置１００‐ｉ同士のグループ通信を管理するサーバ装置である。
【００２７】
ＰＴＴサーバ２００は、１つの通信端末装置からグループ通信の開始通知を受けると、その要求に応じて相手方の通信端末を呼び出し、ＳＩＰ（Ｓｅｓｓｉｏｎ  Ｉｎｉｔｉａｔｉｏｎ  Ｐｒｏｔｏｃｏｌ）等による通信セッションを確立する。ＰＴＴサーバ２００は、通信セッションの確立後、１つの通信端末装置から複数の通信端末装置にあてて送信されるデータを中継する。すなわち、送信側の通信端末装置から受信側の通信端末装置にあてて送信されるデータを、ＰＴＴサーバ２００は一旦受信し、これを受信側の通信端末装置へ転送する。なお、ＰＴＴサーバ２００は、ＳＩＰ以外の通信プロトコルによる通信によって通信端末装置と通信を行ってもよい。
【００２８】
図２は、通信端末装置１００‐ｉの主要な構成部をブロック図で表したものである。
【００２９】
アンテナ１０１は、制御部１１０の制御によって、例えば音声通信を行う。また、その他に通信サーバ２００と双方向通信を行う際にも、ネットワーク３００を経由してデータの送受信を行う。
【００３０】
通信部１０２は、制御部１１０から伝達されるデータを無線通信用の形式へ変換する。また逆にアンテナ１０１において受信した無線通信用の形式のデータを復号して制御部１１０へ伝達させることも行う。なお、特許請求の範囲において、記載されている通信部は、アンテナ１０１と通信部１０２を一つとしてみたものとしても良い。
【００３１】
操作部１０３は、主に押下されることによって信号を発生し、当該信号を制御部１１０へ伝達させる多数のキーによって構成されている。キーには数種類あり、例えば電話番号を入力する為に、０から９までの一桁の数字が記載されたテンキーがある。当該テンキーは、文字入力を行う際にも用いられる。また、表示部１０７に表示される表示項目を選択する為の選択キーも備えている。当該選択キーは、上下左右それぞれの方向を示す４つのキーから構成されている。さらに、当該選択キーによって選択された項目に該当する内容を制御部１１０に実行させる指示信号を発生させる決定キーも備えている。また、表示部１０７の最下段に表示された表示内容に応じた入力が可能なソフトキーも備えている。この場合、ソフトキーは表示部１０７の最下段と隣り合う場所に配される。その他に、当該通信端末装置１００‐ｉが二つ折りタイプの形態をしていたとき、閉状態（携帯電話が完全に折られた状態）においても外部から操作できるように、サイドキーも具備されている場合がある。
【００３２】
音声処理部１０４は、制御部１１０より伝達された信号をスピーカ１０５用の音声信号へと変換する機能をもつ。また、マイク１０６から入力された音声信号を制御部１１０が解することが出来るように変換する機能ももつ。
【００３３】
スピーカ１０５は、通信端末装置１００‐ｉの外面に備えられている。そして、音声処理部１０４から伝達された音声信号を音へと変換する機能をもつ。
【００３４】
マイク１０６は、スピーカ１０５とは逆の機能をもつ。最初の段階として、通信端末装置１００‐ｉの外部で生じた音を取得して音声信号へと変換する。次の段階として、当該変換した音声信号を音声処理部１０４へ伝達させる機能をもつ。
【００３５】
表示部１０７は、通信端末装置１００‐ｉを用いるユーザが視認できる情報を提供する情報提供手段である。例えば、表示部１０７はＬＥＤ（ｌｉｇｈｔ  ｅｍｉｔｔｉｎｇ  ｄｉｏｄｅ）ディスプレイで作製される。また、有機ＥＬ（ｅｌｅｃｔｒｏ‐ｌｕｍｉｎｅｓｃｅｎｃｅ）で作製されることもある。また、液晶を用いた画像表示装置が用いられることもある。
【００３６】
記憶部１０８は、制御部１１０において処理に利用される各種のデータを記憶する。例えば、制御部１１０に備わるコンピュータのプログラム、通信相手の電話番号や電子メールアドレス等の個人情報を管理するアドレス帳、着信音やアラーム音を再生するための音声ファイル、各種の設定データ、プログラムの処理過程で利用される一時的なデータなどを保持する。  
記憶部１０８は、例えば不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００３７】
また、通信端末装置１００‐ｉは、不図示のカメラモジュールも有する。当該カメラモジュールによって、通信端末装置１００‐ｉのユーザは、通信端末装置１００‐ｉの外部の画像をデジタル情報の画像データとして撮影することが可能である。このデジタル情報は、制御部１１０によって記憶部１０８に画像データとして保存される。または、制御部１１０により通信部１０２へ伝達され、ネットワーク３００を経由してＰＴＴサーバ２００へ伝送されることも可能である。
【００３８】
制御部１１０は、通信端末装置１００‐ｉの全体的な動作を統括的に制御する。すなわち、通信端末装置１００‐ｉの各種の処理（回線交換網を介して行われる音声通話、ＰＴＴのグループ通信、電子メールの作成と送受信、インターネットのＷｅｂサイトの閲覧など）が操作部１０３の操作に応じて適切な手順で実行されるように、上述した各ユニットの動作（通信部１０２における信号の送受信、音声処理部１０４における音声の入出力、表示部１０７における画像の表示など）を制御する。
【００３９】
例えば制御部１１０は、記憶部１０８に格納されるプログラム（オペレーティングシステム、アプリケーション等）に基づいて処理を実行するコンピュータを備えており、このプログラムにおいて指示される手順に従って上述した処理を実行する。
【００４０】
また、制御部１１０は、カメラモジュールによって撮影された画像データや、他の通信端末装置１００‐ｉから送信されてきた画像データのデータサイズを変更する機能も持つ。例えば、ＱＶＧＡの解像度（３２０×２４０ピクセル）の画像データを、ＱＱＶＧＡの解像度（１６０×１２０ピクセル）の画像データへ変更することが可能である。
【００４１】
図３は、図１に示した通信システムを用いて、通信端末装置１００‐１（図１２において説明した従来例における通信端末装置Ａに該当）と通信端末装置１００‐２（図１２において説明した従来例における通信端末装置Ｂに該当）の２者間でグループ通信が行われるときのシーケンス図である。以下、当該図３のシーケンス図において示した時系列に沿って、本発明の実施例を、通信端末装置１００‐１、通信端末装置１００‐２を用いて説明する。なお、従来例の説明のときと同様に、通信端末装置１００‐１のユーザ名を「山形」、通信端末装置１００‐２のユーザ名を「森」とする。
【００４２】
最初に、前述したとおりの手順によって、グループ通信が通信端末装置１００‐１、通信端末装置１００‐２の間で開始され、行われる（ステップＳ３０１）。開始された直後、通信端末装置１００‐１、通信端末装置１００‐２の両方の表示部１０７は、メイン画面状態となる。このときのメイン画面状態は、通信端末装置１００‐１のユーザ名である「山形」と通信端末装置１００‐２のユーザ名である「森」の２者の名前が表示されているだけの状態である。
【００４３】
以下、主に通信端末装置１００‐１（ユーザ名：山形）の動きについて説明する。
【００４４】
＜＜通信端末装置１００‐１の動きについて＞＞
グループ通信中（ステップＳ３０１）、通信端末装置１００‐１の制御部１１０‐１は、通信端末装置１００‐１のプレゼンスを“オンライン”としてＰＴＴサーバ２００へ通知する（ステップＳ３０２）。プレゼンスとは、通信端末装置１００のグループ通信における参加状況を通信相手の通信端末装置１００の表示部１０７に表示されるものである。前述した“オンライン”というプレゼンスは、ＰＴＴサーバ２００に接続してグループ通信に参加し、他の通信端末装置１００とグループ通信を行うことが可能という状況を示すものである。他にあるプレゼンスの種類として、一時的にグループ通信から離脱することを示す”退席中“や、グループ通信開始時からグループ通信に参加していない”不参加“といったものがある。また、グループ通信中に、通信端末装置１００においてグループ通信用の文字入力が行われていることを示す”編集中”と呼ばれるプレゼンス存在する。
【００４５】
通信端末装置１００‐１はプレゼンス“オンライン”をＰＴＴサーバ２００へ送信する。その次に、ＰＴＴサーバ２００は、通信端末装置１００‐１の“オンライン”という状態を通信端末装置１００‐２へ伝達する。
【００４６】
その次の段階として、通信端末装置１００‐１の操作部１０３‐１から入力によって通信端末装置１００‐１の表示部１０７‐１の画面が文字入力画面状態にされたとする（ステップＳ３０３）。このとき操作部１０３‐１において操作される部分は、表示部１０７‐１最下段中央に表示された「文字入力」に対応したソフトキーである（図１０を参照）。当該ソフトキーが押下される事によって、通信端末装置１００‐１の制御部１１０‐１は、表示部１０７‐１の画面をメイン画面状態から文字入力画面状態へと変化させる。
【００４７】
このとき、制御部１１０‐１は、通信端末装置１００‐１のプレゼンスを“編集中”へと変更する（ステップＳ３０４）。そして、ステップＳ３０４において、プレゼンスの更新が行われたという情報（特許請求の範囲における第１の情報）を、ＰＴＴサーバ２００を経由して通信端末装置１００‐２へ通知する（ステップＳ３０５）。
【００４８】
図４は、ステップＳ３０５において、第１の情報が通信端末装置１００‐２に伝達される様子を模式的に示したものである。制御部１１０‐１は、表示部１０７‐１の表示をメイン画面状態であった状態から、表示部１０７‐１最下段中央の表示に対応するソフトキーの押下を受付けることによって文字入力画面状態へと変化させる。制御部１１０は、当該画面状態を変化させる際に、第１の情報をＰＴＴサーバ２００経由で通信端末装置１００‐２（特許請求の範囲における相手の通信端末装置）へ送信する。
【００４９】
その次の段階として、表示部１０７‐１の画面状態を文字入力画面状態へと変化させた制御部１１０‐１は、操作部１０３‐１において文字入力が行われることを待ち受ける（ステップＳ３０６）。
【００５０】
次の段階として、制御部１１０‐１は、操作部１０３‐１からの入力によって表示部１０７‐１の画面状態が、文字入力画面状態からメイン画面状態へと変更されたかどうかを検知する（ステップＳ３０７）。操作部１０３‐１からの入力とは、表示部１０７‐１最下段に表示される表示に対応したソフトキーの押下によって行われる（図１１参照）。
【００５１】
次に、制御部１１０‐１は、ステップＳ３０６において文字入力が行われたかどうかを調べる（ステップＳ３０８）。もし、ステップＳ３０６の状態で文字入力が行われていたら、制御部１１０‐１は、ステップＳ３０６において入力されたメッセージをＰＴＴサーバ２００へ送信する（ステップＳ３０８／Ｙ、ステップＳ３０９）。そして、同時に制御部１１０‐１は、通信端末装置１００‐１のプレゼンスを“オンライン”に更新し（ステップＳ３１０）、当該更新されたプレゼンス“オンライン”をＰＴＴサーバ２００へ送信する（ステップＳ３１１）。このときに送信された“オンライン”というプレゼンスが特許請求の範囲における第２の情報のことである。また、制御部１１０‐１が、ステップＳ３０８の段階において、ステップＳ３０６の状態で何も文字入力が行われなかったと検知した場合（ステップＳ３０８／Ｎ）、制御部１１０‐１は、ステップＳ３０９の段階を経ずにステップＳ３１０の段階へと移行する。
【００５２】
以下、図５を用いて前述した内容を詳細に説明する。
【００５３】
図５は、ステップＳ３０６からステップＳ３１１にかけて、通信端末装置１００‐１からＰＴＴサーバ２００経由で通信端末装置１００‐２へ情報が伝達される様子を模式的に示したものである。ステップＳ３０６において、制御部１１０‐１は、操作部１０３‐１から「今日はあついね」という文字入力を受付ける。そして、表示部１０７‐１の最下段中央に表示されている［ＯＫ］の表示に対応したソフトキーが押下されると、制御部１１０‐１は、表示部１０７‐１の画面状態を文字入力画面状態からメイン画面状態へと変化させる。同時に、制御部１１０‐１は、「今日はあついね」というメッセージとプレゼンスが“編集中”から“オンライン”へと更新されたことを伝える第２の情報を、ＰＴＴサーバ２００経由で通信端末装置１００‐２へ送信する。このとき、通信端末装置１００‐２の表示部１０７‐２には、通信端末装置１００‐１から送信された送信メッセージ「今日はあついね」が表示される。
【００５４】
次に、主に通信端末装置１００‐２（ユーザ名：森）の動きについて説明する。
【００５５】
＜＜通信端末装置１００‐２の動きについて＞＞
図３において説明したとおり、通信端末装置１００‐２は、ステップＳ３０１の段階で通信端末装置１００‐１のプレゼンスが“オンライン”であることを認識する（ステップＳ３１２）。次に、前述したように、通信端末装置１００‐１からＰＴＴサーバ２００経由で第１の情報を受信する（ステップＳ３１３）。
【００５６】
図６は、ステップＳ３１２からステップＳ３１３へ移行する際の、通信端末装置１００‐２の表示部１０７‐２について詳細に示した図である。図６（ａ）は、ステップＳ３１２における表示部１０７‐２の様子である。このときに、表示されている画面は、ステップＳ３０１において交わされた文字データおよび／または画像データが示されたメイン画面表示状態である。次に、第１の情報を通信端末装置１００‐１より受信すると、図６（ｂ）に示すように、通信端末装置１００‐２の制御部１１０‐２は、表示部１０７‐２に、通信端末装置１００‐１のユーザ名である「山形」の近傍に第１の情報として受信した“編集中”というプレゼンスを表示する。
【００５７】
このようにして、通信相手のプレゼンスが更新されて、表示部１０７‐２に表示されることによって、通信端末装置１００‐２のユーザである「森」は、通信相手である通信端末装置１００‐１のユーザである「山形」が、文字入力を行っている最中であると知ることが可能となる。このようにして、本発明は、「森」へ「山形」の発言を想起させて、「森」がグループ通信から離脱するような、「山形」の文字入力が無駄になるような行為の発生を低減することが可能となる。
【００５８】
前述したように、通信端末装置１００‐２の表示部１０７‐２がメイン画面状態のとき、第１の情報を受けて制御部１１０‐２は、表示部１０７‐２にプレゼンス“編集中”を表示する。しかしながら、この表示が行われている状態においても、「森」の操作ミス等により、通信端末装置１００‐２がグループ通信離脱の操作が操作部１０３‐２からの入力によって行われる虞がある（ステップＳ３１５）。
【００５９】
係る問題に対応して、制御部１１０‐２は、もし操作部１０３‐２においてグループ通信離脱の入力が行われたとき、ポップアップ表示等を表示部１０７‐２において行って、「森」へグループ通信を本当に離脱するか否かを問い合わせる手段を有する。
【００６０】
図７は、前段落において述べた制御部１１０‐２の解決手段についてより詳細に述べたものである。図７（ａ）は、ステップＳ３１４の段階における表示部１０７‐２の様子を示したものである。この画面状態において、制御部１１０‐２は、操作部１０３‐２よりグループ通信離脱の入力（表示部１０７‐２の最下段右側の表示に対応するソフトキーの押下）を受付けると、図７（ｂ）において示されたように、第１の情報に基づいて図７（ｂ）に示すようなポップアップ表示を表示部１０７‐２に行う（ステップＳ３１６）。このとき、制御部１１０‐２は、当該ポップアップ表示に「“山形”は文字入力中です。本当にグループ通信を離脱しますか？」という問いと、当該問いに答えるための選択肢「はい」及び「いいえ」を表示させる。
【００６１】
このとき、「はい」の入力を操作部１０３‐２より受付けると、制御部１１０‐２は、「森」が「山形」の文字入力を無視してグループ通信を離脱することを欲していると解釈してグループ通信を離脱する。しかしながら、このとき「いいえ」の入力を操作部１０３‐２より受付けると、制御部１１０‐２は、「森」による入力ミスでグループ通信離脱が選択されてしまったものだと解釈して、ポップアップ表示を消して図７（ａ）に示される画面表示に表示部１０７‐２の表示を戻す。
【００６２】
前述したような構成をとることによって、「森」はプレゼンス“編集中”という表示だけでなく、ポップアップ表示からも「山形」が文字入力中であることを認識することが可能となる。従って、プレゼンス“編集中”という表示だけが、制御部１１０‐２によって行われる場合よりも、更に「山形」の文字入力が無駄になる行為の発生を低減することが可能となる。
【００６３】
前述のように、通信端末装置１００‐２は、通信端末装置１００‐１のプレゼンス“編集中”の表示を行い、さらには操作部１０３‐２からグループ通信離脱の入力を受付けたときに前述したポップアップ表示によって、ユーザ（「森」）へ通信相手のユーザ（「山形」）が文字入力中であることを通知する。
【００６４】
＜＜プレゼンス、ポップアップ表示の設定＞＞
しかしながら通信端末装置１００‐２のユーザにとって、図６（ｂ）に示したプレゼンス“編集中”という表示が気になってグループ通信に集中できないという場合もあり得る。
【００６５】
また、通信端末装置１００‐２のユーザ（「森」）がグループ通信を熟知したユーザの場合、通信端末装置１００‐１のユーザ（「山形」）が文字入力中に誤った操作でグループ通信を離脱する可能性は低い。従って、「森」がグループ通信を熟知したユーザだった場合に、操作部１０３‐２においてグループ通信離脱の入力を制御部１１０‐２が受付けたときは、以下の場合が考えられる。つまり、当該入力は、「森」が「山形」が入力中であることを知りながら、グループ通信の離脱を欲していたという場合である。このような場合、ポップアップ表示は、迅速なグループ通信離脱を妨げる要因となってしまい、ユーザ「森」にとって利便性が良いものとは言えない。
【００６６】
前述した問題に対応して、通信端末装置１００‐２は、プレゼンス、ポップアップ表示をグループ通信中に表示するか否かを設定することが可能である。
【００６７】
図８は、制御部１１０‐２が表示部１０７‐２に表示させる表示内容について示したものである。制御部１１０‐２は、グループ通信が行われていないとき（例えばグループ通信を行うアプリケーションの環境設定画面が表示部１０７‐２に表示されているとき）に、操作部１０３‐２から入力を受付けることによって、図８（ａ）、図８（ｂ）に示される画面表示を行う。
【００６８】
図８（ａ）は、制御部１１０‐２がグループ通信中に通信相手（本実施例においては「山形」）のプレゼンスを表示部１０７‐２へ表示させるか否かを、ユーザへ問い合わせるときの表示部１０７‐２の状態である。制御部１１０‐２は、このとき操作部１０３‐２に備えられた十字キーおよび決定キーから「する」又は「しない」が選択される入力を待ち受ける。「する」が選択されれば、制御部１１０‐２は次回以降のグループ通信において図６（ｂ）に示した通り「編集中」という表示を通信相手のユーザ名近傍に表示させる。「しない」が選択されると、次回以降のグループ通信において「編集中」という表示を表示部１０７‐２に行わせない。
【００６９】
図８（ｂ）は、制御部１１０‐２がグループ通信中に操作部１０３‐２よりグループ通信離脱の入力を受付けたとき、表示部１０７‐２へ図６（ｂ）に示したポップアップ表示を表示させるか否かを、ユーザへ問い合わせるときの表示部１０７‐２の状態である。制御部１１０‐２は、このとき操作部１０３‐２に備えられた十字キーおよび決定キーから「する」又は「しない」が選択される入力を待ち受ける。「する」の入力を受付ければ、制御部１１０‐２は図７（ｂ）に示したように、グループ通信離脱の入力を受付けたときにポップアップ表示を行う。「しない」の入力を受付けたとき、制御部１１０‐２は次回以降のグループ通信離脱時においてポップアップ表示を行わずにそのままグループ通信を離脱することが可能である。従って、スムーズにグループ通信を離脱することが可能である。
【００７０】
このような手段を通信端末装置１００‐２が更に備えることによって、前述した問題は解消させる。
【００７１】
また、ユーザ「山形」側の通信端末装置１００‐１においても、「森」が通信端末装置１００‐２において設定可能であったようにプレゼンス表示を通信端末装置１００‐２へ通知するか否かを設定可能である。このときの通信端末装置１００‐１の動きを、図９を用いて説明する。
【００７２】
図９は、通信端末装置１００‐１においてグループ通信が行われていないときの表示部１０７‐１の様子を示した図である。この画面表示は、グループ通信を行うアプリケーションの環境設定が行われるときに、制御部１１０‐１が表示部１０７‐１へ表示させる画面状態である。このとき、当該画面を表示部１０７‐１へ表示させたのち、制御部１１０‐１は、操作部１０３‐１の有する十字キーおよび決定キーから「する」又は「しない」の選択肢が選択、決定されるのを待ち受ける。「する」が選択されたとき、制御部１１０‐１は、グループ通信が次に起動された際に前述したような実施例に沿った動作をする。「しない」が選択されたとき、制御部１１０‐１は、次にグループ通信が開始されたときに第１の情報を通信端末装置１００‐２へ送信しない。従って、通信端末装置１００‐２側において、プレゼンスやポップアップ表示を行うという設定が行われていても、通信端末装置１００‐２の表示部１０７‐２には、“編集中”というプレゼンスや、グループ通信離脱の際に表示されるポップアップ表示は行われない。
【００７３】
このような手段を通信端末装置１００‐１が有することによって、通信端末装置１００‐１のユーザ（「山形」）は、通信端末装置１００‐２のユーザ（「森」）へ自分（山形）が入力中であることを知らせないことが可能である。この設定は、以下に述べるケースを想定して通信端末装置１００‐１に備えられている。つまり「山形」が「森」に対して通知すべきかどうか悩んでいる内容を、制御部１１０‐１が操作部１０３‐１において受付けているとき、表示部１０７‐２に「山形」が編集中だと「森」に知られてしまうと都合が悪い。本手段は、このような場合を想定して通信端末装置１００‐１に備えられたものである。なお、本手段は、グループ通信が行われているときに使用可能（設定変更可）であっても良い。
【００７４】
以上のようにして本発明によれば、グループ通信において一方の通信端末装置から他方の通信端末装置へ送信する入力内容を伝達できない虞を低減させる通信端末装置を提供することが可能である
なお、本実施例においては操作部１０３‐１による文字入力中の状態を、通信端末装置１００‐２へ通知するという例を示したものであるものの、操作部１０３‐１の入力によって行われる入力は文字入力に限らない。例えば、通信端末装置１００‐１の記憶部１０８‐１に記憶されている画像データが、「山形」によってグループ通信において発信しようと準備されているときにも、制御部１１０‐１は文字入力のときと同様の動作を行ってもよい。
【００７５】
なお、図６（ｂ）において説明したプレゼンス“編集中”という表示部１０７‐２上での表示は、図３のステップＳ３１８における「第２の情報」の受信によって、表示部１０７‐２から消えるようにしてもよい。
【００７６】
なお、本発明は携帯電話を例にとって説明を行った。しかし、携帯電話のほかにＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）などの通信端末や、パーソナルコンピュータなど、インターネットを用いて他の端末と双方向通信が可能な電子機器であれば、本発明は適用可能である。
【図面の簡単な説明】
【００７７】
【図１】本発明に係る通信端末装置の実施例に使用される通信システムを模式的に示したものである。
【図２】本発明の実施例である通信端末装置の主要な構成部を示したブロック図である。
【図３】本発明の実施例である通信端末装置がグループ通信を行っている様子を示すシーケンス図である。
【図４】本発明の実施例である通信端末装置において、「第１の情報」がグループ通信において相手の通信端末に送信される様子を模式的に示した図である。
【図５】本発明の実施例である通信端末装置において、「第２の情報」およびメッセージがグループ通信において相手の通信端末に送信される様子を模式的に示した図である。
【図６】通信端末装置１００‐２の表示部１０７‐２にプレゼンス“編集中”が表示される様子を示した図である。
【図７】通信端末装置１００‐２の表示部１０７‐２にポップアップ表示がされる様子を示した図である。
【図８】通信端末装置１００‐２において、プレゼンス及びポップアップ表示を行うか否かをユーザへ問い合わせるときの表示部１０７‐２の様子を示した図である。
【図９】通信端末装置１００‐１において、プレゼンスを通知するか否かをユーザへ問い合わせるときの表示部１０７‐１の様子を示した図である。
【図１０】グループ通信が行われているとき、表示部１０７にメイン画面状態が示された場合を示した図である。
【図１１】グループ通信が行われているとき、表示部１０７に文字入力画面状態が示された場合を示した図である。
【図１２】従来のグループ通信において発生してしまう問題を模式的に示した図である。
【符号の説明】
【００７８】
１００…通信端末装置、１００‐１…通信端末装置（ユーザ名：山形）、１００‐２…通信端末装置（ユーザ名：森）１００‐３〜１００‐５…通信端末装置、１０１…アンテナ、１０２…通信部、１０３…キー入力部、１０４…音声処理部、１０５…スピーカ、１０６…マイクロフォン、１０７…表示部、１０８…記憶部、１１０…制御部、２００…ＰＴＴサーバ（通信サーバ）、３００…ネットワーク
【図１】
0005582675.tif 000002
【図２】
0005582675.tif 000003
【図３】
0005582675.tif 000004
【図４】
0005582675.tif 000005
【図５】
0005582675.tif 000006
【図６】
0005582675.tif 000007
【図７】
0005582675.tif 000008
【図８】
0005582675.tif 000009
【図９】
0005582675.tif 000010
【図１０】
0005582675.tif 000011
【図１１】
0005582675.tif 000012
【図１２】
0005582675.tif 000013